(57)【要約】  異なる使用地域や使用対象物に柔軟に対応するために、紙葉類の特徴量を計測するセンサと、前記特徴量を基に前記紙葉類の真偽、正損の識別を行う識別部と、前記紙葉類を複数のカテゴリーに分類するための情報であって、前記複数の特徴量を組み合わせてなる異なるカテゴリー分類パターン情報をカテゴリー毎に複数記憶する記憶部と、前記識別部における識別結果と、前記カテゴリー分類パターン情報を用いて、前記識別した紙葉類を該当するカテゴリーと判定するカテゴリー判定部と、を備える。
2008056404.tif 000002
【特許請求の範囲】
【請求項１】
紙葉類の特徴量を計測するセンサと、
前記特徴量を基に前記紙葉類の真偽、正損の識別を行う識別部と、
前記紙葉類を複数のカテゴリーに分類するための情報であって、前記複数の特徴量を組み合わせてなる異なるカテゴリー分類パターン情報をカテゴリー毎に複数記憶する記憶部と、
前記識別部における識別結果と、前記カテゴリー分類パターン情報を用いて、前記識別した紙葉類を該当するカテゴリーと判定するカテゴリー判定部と、
を備えることを特徴とする紙葉類識別装置。
【請求項２】
前記特徴量は、
光学的に計測される光学的特徴量として、前記紙葉類の形状を示す第１の特徴量と、前記紙葉類を透過または反射する光の光量および波長を示す第２の特徴量と、を含み、
磁気的に計測される磁気的特徴量として、前記紙葉類に含まれる磁気含有量を示す第３の特徴量を含むこと、
を特徴とする請求項１に記載の紙葉類識別装置。
【請求項３】
前記第１の特徴量は、前記紙葉類の隅折れまたは欠損量を示す特徴量であること、
を特徴とする請求項２に記載の紙葉類識別装置。
【請求項４】
前記第２の特徴量は、前記紙葉類を透過または反射した赤外線の減衰量を示す特徴量であること、
を特徴とする請求項２に記載の紙葉類識別装置。
【請求項５】
前記第３の特徴量は、前記紙葉類の記番号印刷部分および肖像画部分ならびに金額印刷部分に含まれる磁気含有量を示す特徴量であること、
を特徴とする請求項２に記載の紙葉類識別装置。
【請求項６】
前記紙葉類が紙幣であり、
前記カテゴリー判定部において、
真券かつ正券に対応する第１のカテゴリーと、
真券かつ損券に対応する第２のカテゴリーと、
真券とは明確に判断できない真偽不確定券に対応する第３のカテゴリーと、
真券とは明確に異なり偽札と疑われる偽券に対応する第４のカテゴリーと、
紙幣ではないもの、または紙幣として識別できなかった識別異常券に対応する第５のカテゴリーと、
に前記紙幣のカテゴリーを判定すること、
を特徴とする請求項１に記載の紙葉類識別装置。
【請求項７】
紙葉類を受け入れる受け入れ手段と、
前記受け入れられた紙幣を返却する返却手段と、
前記受け入れられた紙幣を収納する収納手段と、
前記カテゴリー判定部により前記第５のカテゴリーに分類された紙幣を前記返却手段に振り分けるとともに前記第１〜４のカテゴリーに分類された前記紙幣を前記収納手段に振り分ける振り分け手段と、
をさらに備えることを特徴とする請求項６に記載の紙葉類識別装置。
【請求項８】
前記記憶部は、国別に異なる前記カテゴリー分類パターン情報を有し、
前記国別に異なる前記カテゴリー分類パターン情報を指定するカテゴリー分類パターン指定手段をさらに備えること、
を特徴とする請求項１に記載の紙葉類識別装置。
【請求項９】
前記カテゴリー分類パターン指定手段は、自装置に電気的に接続された電子端末であること、
を特徴とする請求項８に記載の紙葉類識別装置。
【請求項１０】
前記カテゴリー分類パターン指定手段は、自装置に備える情報入力手段であること、
を特徴とする請求項８に記載の紙葉類識別装置。
【請求項１１】
紙葉類の特徴量を計測する特徴量計測工程と、
前記特徴量を基に前記紙葉類の真偽、正損の識別を行う識別工程と、
前記識別工程における識別結果と、カテゴリー毎に複数用意され前記紙葉類を複数のカテゴリーに分類するための情報であって前記複数の特徴量を組み合わせてなる異なるカテゴリー分類パターン情報と、を用いて、前記識別した紙葉類を該当するカテゴリーと判定するカテゴリー判定工程と、
を含むことを特徴とする紙葉類識別方法。
【請求項１２】
前記特徴量は、
光学的に計測される光学的特徴量として、前記紙葉類の形状を示す第１の特徴量と、前記紙葉類を透過または反射する光の光量および波長を示す第２の特徴量と、を含み、
磁気的に計測される磁気的特徴量として、前記紙葉類に含まれる磁気含有量を示す第３の特徴量を含むこと、
を特徴とする請求項１１に記載の紙葉類識別方法。
【請求項１３】
前記第１の特徴量は、前記紙葉類の隅折れまたは欠損量を示す特徴量であること、
を特徴とする請求項１２に記載の紙葉類識別方法。
【請求項１４】
前記第２の特徴量は、前記紙葉類を透過または反射した赤外線の減衰量を示す特徴量であること、
を特徴とする請求項１２に記載の紙葉類識別方法。
【請求項１５】
前記第３の特徴量は、前記紙葉類の記番号印刷部分および肖像画部分ならびに金額印刷部分に含まれる磁気含有量を示す特徴量であること、
を特徴とする請求項１２に記載の紙葉類識別方法。
【請求項１６】
前記紙葉類が紙幣であり、
前記カテゴリー判定工程において、
真券かつ正券に対応する第１のカテゴリーと、
真券かつ損券に対応する第２のカテゴリーと、
真券とは明確に判断できない真偽不確定券に対応する第３のカテゴリーと、
真券とは明確に異なり偽札と疑われる偽券に対応する第４のカテゴリーと、
紙幣ではないもの、または紙幣として識別できなかった識別異常券に対応する第５のカテゴリーと、
に前記紙幣のカテゴリーを判定すること、
を特徴とする請求項１１に記載の紙葉類識別方法。
【発明の詳細な説明】
【技術分野】
【０００１】
本発明は、紙葉類の種別等の識別およびカテゴリー分類を行う紙葉類識別装置および紙葉類識別方法に関し、特に、汎用性に優れた紙葉類識別装置および紙葉類識別方法に関する。
【背景技術】
【０００２】
金融機関等で紙幣の入金処理を行う入金処理機を用いて入金する際、投入された紙幣を識別し、真と判断された正券（損券を含む）、偽と判断された偽券、正券と判断できない疑わしい真偽不確定券、連鎖、斜行などのリジェクト券の４つのカテゴリーに分類することが従来から行われている。そして、正券以外の偽券、真偽不確定券、リジェクト券のいずれかであると識別された場合には、入金できないものとして顧客に返却するということが行われてきた。【０００３】
偽造券の使用は犯罪であるので、偽券や真偽不確定券が使用された場合には、偽造券であるか否かを慎重に調べる必要がある。また、当該偽券・真偽不確定券は、犯罪行為の立証として用いることができる重要な証拠でもある。【０００４】
そこで、偽造券の確認と偽造券使用の証拠を確保できる技術として、利用者を特定する利用者特定部と、入金処理すべき紙葉類を載置する投入部と、投入部に載置された紙葉類を順次取り込む繰出部と、繰出部により取り込まれた紙葉類を正券、偽券、真偽不確定券、リジェクト券の４つのカテゴリーに分類して識別する識別部と、識別部で識別された、リジェクト券以外の正券、偽券、真偽不確定券を一時保留する一時保留部と、一時保留部に一時保留した券を収納する複数の収納部と、識別部でリジェクト券と判定された紙葉類を返却するために蓄積するリジェクト部と、を備えた紙葉類処理装置が提案されている（たとえば、特許文献１参照）。【０００５】
【特許文献１】特開２００４−３１０５９４号公報
【発明の開示】
【発明が解決しようとする課題】
【０００６】
ところで、上記従来の紙葉類処理装置では、識別した紙幣を正券、偽券、真偽不確定券、リジェクト券の４つのカテゴリーに分類し、識別結果に応じて各カテゴリー分類に対応させ、顧客に当該紙幣を返却するか、または処理装置内に当該紙幣を取り込むとともに各種取引情報を記録している。【０００７】
また、ユーロ紙幣では、ヨーロッパ中央銀行（ＥＣＢ）において設定されているカテゴリー分類とは別に、各国中央銀行（ＮＣＢ）においても、ここで所有しているサンプル媒体に基づいてカテゴリー分類を行っている。【０００８】
しかしながら、上記従来の紙葉類処理装置では、単一のカテゴリー分類しか行うことができず、紙葉類処理装置の設置されている国毎に当該中央銀行でのサンプル媒体評価を実践し、ＮＣＢ判断によるカテゴリー分類をその都度行い、対象販売国毎にチューニングを施して、ファーム変更を行っていた。【０００９】
すなわち、カテゴリー分類の最終的な判断は各国の中央銀行で行われており、国毎にカテゴリーの判断基準は異なり、判断ロジックが国毎に異なるため、上記従来の紙葉類処理装置では、プログラムを国毎に装置一台を割り当てて管理する必要があった。【００１０】
本発明は、上記に鑑みてなされたものであって、異なる使用地域や使用対象物に柔軟に対応可能であり、汎用性に優れた安価な紙葉類識別装置および紙葉類識別方法を提供することを目的とする。
【課題を解決するための手段】
【００１１】
上述した課題を解決し、目的を達成するために、請求項１の発明にかかる紙葉類識別装置は、紙葉類の特徴量を計測するセンサと、特徴量を基に紙葉類の真偽、正損の識別を行う識別部と、紙葉類を複数のカテゴリーに分類するための情報であって、複数の特徴量を組み合わせてなる異なるカテゴリー分類パターン情報をカテゴリー毎に複数記憶する記憶部と、識別部における識別結果と、カテゴリー分類パターン情報を用いて、識別した紙葉類を該当するカテゴリーと判定するカテゴリー判定部と、を備えることを特徴とする。【００１２】
また、請求項２の発明にかかる紙葉類識別装置は、請求項１の発明において、特徴量は、光学的に計測される光学的特徴量として、紙葉類の形状を示す第１の特徴量と、紙葉類を透過または反射する光の光量および波長を示す第２の特徴量と、を含み、磁気的に計測される磁気的特徴量として、紙葉類に含まれる磁気含有量を示す第３の特徴量を含むこと、を特徴とする。【００１３】
また、請求項３の発明にかかる紙葉類識別装置は、請求項２の発明において、第１の特徴量は、紙葉類の隅折れまたは欠損量を示す特徴量であること、を特徴とする。【００１４】
また、請求項４の発明にかかる紙葉類識別装置は、請求項２の発明において、第２の特徴量は、紙葉類を透過または反射した赤外線の減衰量を示す特徴量であること、を特徴とする。【００１５】
また、請求項５の発明にかかる紙葉類識別装置は、請求項２の発明において、第３の特徴量は、紙葉類の記番号印刷部分および肖像画部分ならびに金額印刷部分に含まれる磁気含有量を示す特徴量であること、を特徴とする。【００１６】
また、請求項６の発明にかかる紙葉類識別装置は、請求項１の発明において、紙葉類が紙幣であり、カテゴリー判定部において、真券かつ正券に対応する第１のカテゴリーと、真券かつ損券に対応する第２のカテゴリーと、真券とは明確に判断できない真偽不確定券に対応する第３のカテゴリーと、真券とは明確に異なり偽札と疑われる偽券に対応する第４のカテゴリーと、紙幣ではないもの、または紙幣として識別できなかった識別異常券に対応する第５のカテゴリーと、に紙幣のカテゴリーを判定すること、を特徴とする。【００１７】
また、請求項７の発明にかかる紙葉類識別装置は、請求項６の発明において、紙葉類を受け入れる受け入れ手段と、受け入れられた紙幣を返却する返却手段と、受け入れられた紙幣を収納する収納手段と、カテゴリー判定部により第５のカテゴリーに分類された紙幣を返却手段に振り分けるとともに第１〜４のカテゴリーに分類された紙幣を収納手段に振り分ける振り分け手段と、をさらに備えることを特徴とする。【００１８】
また、請求項８の発明にかかる紙葉類識別装置は、請求項１の発明において、記憶部は、国別に異なるカテゴリー分類パターン情報を有し、国別に異なるカテゴリー分類パターン情報を指定するカテゴリー分類パターン指定手段をさらに備えること、を特徴とする。【００１９】
また、請求項９の発明にかかる紙葉類識別装置は、請求項８の発明において、カテゴリー分類指定手段は、自装置に電気的に接続された電子端末であること、を特徴とする。【００２０】
また、請求項１０の発明にかかる紙葉類識別装置は、請求項８の発明において、カテゴリー分類指定手段は、自装置に備える情報入力手段であること、を特徴とする。【００２１】
また、請求項１１の発明にかかる紙葉類識別方法は、紙葉類の特徴量を計測する特徴量計測工程と、特徴量を基に紙葉類の真偽、正損の識別を行う識別工程と、識別工程における識別結果と、カテゴリー毎に複数用意され紙葉類を複数のカテゴリーに分類するための情報であって複数の特徴量を組み合わせてなる異なるカテゴリー分類パターン情報と、を用いて、識別した紙葉類を該当するカテゴリーと判定するカテゴリー判定工程と、を含むことを特徴とする。【００２２】
また、請求項１２の発明にかかる紙葉類識別方法は、請求項１１の発明において、特徴量は、光学的に計測される光学的特徴量として、紙葉類の形状を示す第１の特徴量と、紙葉類を透過または反射する光の光量および波長を示す第２の特徴量と、を含み、磁気的に計測される磁気的特徴量として、紙葉類に含まれる磁気含有量を示す第３の特徴量を含むこと、を特徴とする。【００２３】
また、請求項１３の発明にかかる紙葉類識別方法は、請求項１２の発明において、第１の特徴量は、紙葉類の隅折れまたは欠損量を示す特徴量であること、を特徴とする。【００２４】
また、請求項１４の発明にかかる紙葉類識別方法は、請求項１２の発明において、第２の特徴量は、紙葉類を透過または反射した赤外線の減衰量を示す特徴量であること、を特徴とする。【００２５】
また、請求項１５の発明にかかる紙葉類識別方法は、請求項１２の発明において、第３の特徴量は、紙葉類の記番号印刷部分および肖像画部分ならびに金額印刷部分に含まれる磁気含有量を示す特徴量であること、を特徴とする。【００２６】
また、請求項１６の発明にかかる紙葉類識別方法は、請求項１１の発明において、紙葉類が紙幣であり、カテゴリー判定工程において、真券かつ正券に対応する第１のカテゴリーと、真券かつ損券に対応する第２のカテゴリーと、真券とは明確に判断できない真偽不確定券に対応する第３のカテゴリーと、真券とは明確に異なり偽札と疑われる偽券に対応する第４のカテゴリーと、紙幣ではないもの、または紙幣として識別できなかった識別異常券に対応する第５のカテゴリーと、に紙幣のカテゴリーを判定すること、を特徴とする。
【発明の効果】
【００２７】
請求項１の発明によれば、紙葉類の特徴量を計測し、特徴量を基に紙葉類の真偽、正損の識別を行い、その識別結果と、カテゴリー毎に複数用意され紙葉類を複数のカテゴリーに分類するための情報であって複数の特徴量を組み合わせてなる異なるカテゴリー分類パターン情報と、を用いて、識別した紙葉類を該当するカテゴリーに判定するように構成したので、カテゴリー判定の基準となるカテゴリー分類パターン情報を変更するだけで、異なるカテゴリー判定基準での紙葉類のカテゴリー判定に対して、迅速に、容易に且つフレキシブルに、さらに安価に対応することができる、という効果を奏する。【００２８】
また、請求項２の発明によれば、特徴量は、光学的に計測される光学的特徴量として、紙葉類の形状を示す第１の特徴量と、紙葉類を透過または反射する光の光量および波長を示す第２の特徴量と、を含み、磁気的に計測される磁気的特徴量として、紙葉類に含まれる磁気含有量を示す第３の特徴量を含むように構成したので、これらの光学的特徴量および磁気的特徴量を基に紙葉類の真偽、正損の識別およびカテゴリーの判定を精度良く行うことができる、という効果を奏する。【００２９】
また、請求項３の発明によれば、第１の特徴量として、紙葉類の隅折れまたは欠損量を示す特徴量を用いるように構成したので、紙葉類の隅折れまたは欠損量を特徴量として用いて紙葉類の真偽、正損の識別およびカテゴリーの判定を精度良く行うことができる、という効果を奏する。【００３０】
また、請求項４の発明によれば、第２の特徴量として、紙葉類を透過または反射した赤外線の減衰量を示す特徴量を用いるように構成したので、紙葉類を透過または反射した赤外線の減衰量を特徴量として用いて紙葉類の真偽、正損の識別およびカテゴリーの判定を精度良く行うことができる、という効果を奏する。【００３１】
また、請求項５の発明によれば、第３の特徴量として、紙葉類の記番号印刷部分および肖像画部分ならびに金額印刷部分に含まれる磁気含有量を示す特徴量を用いるように構成したので、紙葉類の記番号印刷部分および肖像画部分ならびに金額印刷部分に含まれる磁気含有量を特徴量として用いて紙葉類の真偽、正損の識別およびカテゴリーの判定を精度良く行うことができる、という効果を奏する。【００３２】
また、請求項６の発明によれば、紙葉類を紙幣とし、真券かつ正券に対応する第１のカテゴリーと、真券かつ損券に対応する第２のカテゴリーと、真券とは明確に判断できない真偽不確定券に対応する第３のカテゴリーと、真券とは明確に異なり偽札と疑われる偽券に対応する第４のカテゴリーと、紙幣ではないもの、または紙幣として識別できなかった識別異常券に対応する第５のカテゴリーと、に紙幣のカテゴリーを判定するように構成したので、紙幣のカテゴリーを五種類に分類し、また、カテゴリー判定の基準となるカテゴリー分類パターン情報を変更するだけで、異なるカテゴリー判定基準での紙幣のカテゴリー判定に対して、迅速に、容易に且つフレキシブルに、さらに安価に対応することができる、という効果を奏する。【００３３】
また、請求項７の発明によれば、受け入れた紙幣をカテゴリー判定部により５種類のカテゴリーに分類し、第５のカテゴリーに分類された紙幣を返却するように振り分けるとともに第１〜４のカテゴリーに分類された紙幣を収納するように振り分けるように構成したので、カテゴリー分類した紙幣を、特定のカテゴリーの紙幣を分割して整理することができる、という効果を奏する。【００３４】
また、請求項８の発明によれば、国別に異なるカテゴリー分類パターン情報を指定して紙葉の該当するカテゴリーの判定を行うように構成したので、異なる国のカテゴリー判定基準での紙葉類のカテゴリー判定に対して、迅速に、容易に且つフレキシブルに、さらに安価に対応することができる、という効果を奏する。【００３５】
また、請求項９の発明によれば、自装置に電気的に接続された電子端末によりカテゴリー分類パターン情報を指定するように構成したので、カテゴリー分類パターン情報を指定する際の操作性の自由度が大きくなる、という効果を奏する。【００３６】
また、請求項１０の発明によれば、自装置に備える情報入力手段によりカテゴリー分類パターン情報を指定するように構成したので、カテゴリー分類パターン情報を指定する際の操作性の自由度が大きくなる、という効果を奏する。【００３７】
また、請求項１１の発明によれば、紙葉類の特徴量を計測し、特徴量を基に紙葉類の真偽、正損の識別を行い、その識別結果と、カテゴリー毎に複数用意され紙葉類を複数のカテゴリーに分類するための情報であって複数の特徴量を組み合わせてなる異なるカテゴリー分類パターン情報と、を用いて、識別した紙葉類を該当するカテゴリーに判定するようにしたので、カテゴリー判定の基準となるカテゴリー分類パターン情報を変更するだけで、異なるカテゴリー判定基準での紙葉類のカテゴリー判定に対して、迅速に、容易に且つフレキシブルに、さらに安価に対応することができる、という効果を奏する。【００３８】
また、請求項１２の発明によれば、特徴量は、光学的に計測される光学的特徴量として、紙葉類の形状を示す第１の特徴量と、紙葉類を透過または反射する光の光量および波長を示す第２の特徴量と、を含み、磁気的に計測される磁気的特徴量として、紙葉類に含まれる磁気含有量を示す第３の特徴量を含むようにしたので、この特徴量を基に紙葉類の真偽、正損の識別およびカテゴリーの判定を精度良く行うことができる、という効果を奏する。【００３９】
また、請求項１３の発明によれば、第１の特徴量として、紙葉類の隅折れまたは欠損量を示す特徴量を用いるようにしたので、紙葉類の隅折れまたは欠損量を特徴量として用いて紙葉類の真偽、正損の識別およびカテゴリーの判定を精度良く行うことができる、という効果を奏する。【００４０】
また、請求項１４の発明によれば、第２の特徴量として、紙葉類を透過または反射した赤外線の減衰量を示す特徴量を用いるようにしたので、紙葉類を透過または反射した赤外線の減衰量を特徴量として用いて紙葉類の真偽、正損の識別およびカテゴリーの判定を精度良く行うことができる、という効果を奏する。【００４１】
また、請求項１５の発明によれば、第３の特徴量として、紙葉類の記番号印刷部分および肖像画部分ならびに金額印刷部分に含まれる磁気含有量を示す特徴量を用いるようにしたので、紙葉類の記番号印刷部分および肖像画部分ならびに金額印刷部分に含まれる磁気含有量を特徴量として用いて紙葉類の真偽、正損の識別およびカテゴリーの判定を精度良く行うことができる、という効果を奏する。【００４２】
また、請求項１６の発明によれば、紙葉類を紙幣とし、真券かつ正券に対応する第１のカテゴリーと、真券かつ損券に対応する第２のカテゴリーと、真券とは明確に判断できない真偽不確定券に対応する第３のカテゴリーと、真券とは明確に異なり偽札と疑われる偽券に対応する第４のカテゴリーと、紙幣ではないもの、または紙幣として識別できなかった識別異常券に対応する第５のカテゴリーと、に紙幣のカテゴリーを判定するように構成したので、紙幣のカテゴリーを五種類に分類し、また、カテゴリー判定の基準となるカテゴリー分類パターン情報を変更するだけで、異なるカテゴリー判定基準での紙幣のカテゴリー判定に対して、迅速に、容易に且つフレキシブルに、さらに安価に対応することができる、という効果を奏する。
【図面の簡単な説明】
【００４３】
【図１】図１は、本発明の実施例１にかかる紙幣入出金機の概略構成を示す図である。
【図２】図２は、本発明の実施例１にかかる紙幣入出金機における制御系および情報の伝送を説明するブロック図である。
【図３−１】図３−１は、本発明の実施例１にかかる紙幣入出金機において紙幣を識別異常券に分類する際に参照するカテゴリー分類テーブルの一例を示す図である。
【図３−２】図３−２は、本発明の実施例１にかかる紙幣入出金機において紙幣を偽券に分類する際に参照するカテゴリー分類テーブルの一例を示す図である。
【図３−３】図３−３は、本発明の実施例１にかかる紙幣入出金機において真券と識別された紙幣を正券と損券とに分類する際に参照するカテゴリー分類テーブルの一例を示す図である。
【図４】図４は、本発明の実施例１にかかる紙幣入出金機の動作を説明するためのフローチャートである。
【図５−１】図５−１は、本発明の実施例１にかかる紙幣入出金機の動作を説明する図である。
【図５−２】図５−２は、本発明の実施例１にかかる紙幣入出金機の動作を説明する図である。
【図５−３】図５−３は、本発明の実施例１にかかる紙幣入出金機の動作を説明する図である。
【図５−４】図５−４は、本発明の実施例１にかかる紙幣入出金機の動作を説明する図である。
【図５−５】図５−５は、本発明の実施例１にかかる紙幣入出金機の動作を説明する図である。
【図５−６】図５−６は、本発明の実施例１にかかる紙幣入出金機の動作を説明する図である。
【図５−７】図５−７は、本発明の実施例１にかかる紙幣入出金機の動作を説明する図である。
【図５−８】図５−８は、本発明の実施例１にかかる紙幣入出金機の動作を説明する図である。
【図５−９】図５−９は、本発明の実施例１にかかる紙幣入出金機の動作を説明する図である。
【図５−１０】図５−１０は、本発明の実施例１にかかる紙幣入出金機の動作を説明する図である。
【図５−１１】図５−１１は、本発明の実施例１にかかる紙幣入出金機の動作を説明する図である。
【図５−１２】図５−１２は、本発明の実施例１にかかる紙幣入出金機の動作を説明する図である。
【図５−１３】図５−１３は、本発明の実施例１にかかる紙幣入出金機の動作を説明する図である。
【図５−１４】図５−１４は、本発明の実施例１にかかる紙幣入出金機の動作を説明する図である。
【図６】図６は、本発明の実施例１にかかる紙幣入出金機における取引情報の一例を示した図である。
【図７−１】図７−１は、本発明の実施例２にかかる紙幣識別整理機の断面図である。
【図７−２】図７−２は、本発明の実施例２にかかる紙幣識別整理機の斜視図である。
【図８−１】図８−１は、本発明の実施例３にかかる紙幣識別計数機の断面図である。
【図８−２】図８−２は、本発明の実施例３にかかる紙幣識別計数機の斜視図である。
【図９−１】図９−１は、本発明の実施例４にかかる循環式紙幣入出金機の断面図である。
【図９−２】図９−２は、本発明の実施例４にかかる循環式紙幣入出金機の斜視図である。
【符号の説明】
【００４４】
１  紙幣入出金機
２  上部ユニット
３  下部ユニット
２０  筐体
２１  取引口
２２  搬送路
２３  センサ部
２４  記番号読み取り部
２５  識別・判定部
２６  繰り込み部
２７  一時保留部
２８  第1回収部
２９  第２回収部
３０  一時集積部
３１  入出機構
３２  制御部
４０  筐体
４１  搬送路
４２、４２ａ、４２ｂ、４２ｃ  紙幣収納庫
４３、４３ａ、４３ｂ。４３ｃ  紙幣保管庫
２３２  センサメモリ
２５１  識別・判定部ＣＰＵ
２５２  識別・判定メモリ
３２１  メインＣＰＵ
３２２  通信インタフェース
３２３  通信インタフェース
４００  紙幣識別整理機
４１０  紙幣受け入れ部
４１１  搬送路
４１２  識別部
４１３、４１３ａ、４１３ｂ、４１３ｃ  集積部
４１４  返却部
５００  紙幣識別計数機
５１０  紙幣受け入れ部
５１１  搬送路
５１２  識別部
５１３  集積部
５１４  返却部
６００  循環式紙幣入出金機
６１０  入金口
６１１  搬送路
６１２  識別部
６１３、６１３ａ、６１３ｂ、６１３ｃ、６１３ｄ、６１３ｅ、６１３ｆ  金種別収納放出部
６１４  出金口
６１５  センサ部
６１６  一時保留部
６１７  リジェクトボックス
【発明を実施するための最良の形態】
【００４５】
以下に添付図面を参照して、本発明にかかる紙葉類識別装置および紙葉類識別方法の好適な実施例を説明する。以下では、紙葉類として紙幣を対象とした場合を例に説明する。なお、本発明は以下の記述に限定されるものではなく、本発明の要旨を逸脱しない範囲において適宜変更可能である。
【実施例１】
【００４６】
図１は、本実施例にかかる紙幣入出金機の概略構成を示す図である。本実施例にかかる紙幣入出金機１は、本発明にかかる紙葉類識別装置としての機能を備えた紙幣入出金機であり、主として銀行や郵便局等の金融機関に設置され、紙葉類としての紙幣の入金処理および出金処理が可能であって、入金紙幣を出金紙幣に循環使用するものである。このような本実施例にかかる紙幣入出金機１は、図１に示すように、上部ユニット２と下部ユニット３とで構成してある。上部ユニット２の筐体２０の前側には、取引口２１が設けてある。取引口２１は、筐体２０の内外に通じて開口し、利用者との間で紙幣の受け渡しを行うためのものである。この取引口２１はシャッタによって開閉可能に構成してある。【００４７】
また、上部ユニット２の筐体２０の内部には、搬送路２２が設けてある。搬送路２２は、取引口２１に向けた一端から後側に向かい、さらに後側にて上側に向かい、さらに上側から取引口２１に向けた他端に戻るように、ループ状に延設した搬送域を画成し、当該搬送域の延設方向に沿って紙幣を搬送するものである。【００４８】
また、搬送路２２には、その一部にセンサ部２３、記番号読み取り部２４および識別・判定部２５が構成してある。【００４９】
センサ部２３は、紙幣の形状、画像、また偽造防止のために紙幣に施された磁気または磁気スレッド等の様々なセキュリティ情報（紙幣の特定部における特徴量）として、紙幣の形状を示す特徴量、紙幣に含まれる磁気含有量を示す特徴量、紙幣を透過または反射する光の光量や波長を示す特徴量を検出するために、光学センサ、磁気センサなど、複数種類のセンサを備える。【００５０】
紙幣の形状、画像は、たとえばラインセンサをセンサ部２３に備えることにより取得することができる。また、セキュリティ情報の検出は、たとえば、トナーの磁気を測定する磁気センサ、紙幣の厚みを測定する厚みセンサや、赤外線センサ、ＵＶセンサなどにより行うことができる。【００５１】
記番号読み取り部２４は、搬送路２２においてセンサ部２３の後段に設けられ、紙幣に記載された記番号を読み取る。【００５２】
識別・判定部２５は、搬送路２２において記番号読み取り部２４の後段に設けられ、センサ部２３において複数のセンサにより検出した紙幣の複数種の識別セキュリティ情報（紙幣の特定部における特徴量）と、後述するカテゴリー分類テーブルに基づいて紙幣の真偽や正損を識別し、カテゴリー分類を判定する処理部である。【００５３】
また、搬送路２２には、ループ状の外周側に紙幣を入出させるための入出口が複数形成してある。この入出口には、搬送路２２の外周側に配置された繰り込み部２６、一時保留部２７、第一回収部２８、第二回収部２９および一時集積部３０が接続されている。ここで、ループ状に形成された搬送路２２において、一端に繰り込み部２６が配置され、次いで他端に向かって一時保留部２７、第一回収部２８、第二回収部２９の順に配置され、他端に一時集積部３０が配置されている。【００５４】
繰り込み部２６は、紙幣を搬送路２２に対して一枚ずつ繰り込むためのものである。一時保留部２７は、搬送路２２に搬送される紙幣を識別・判定部２５でのカテゴリー判定結果に基づいて必要に応じて繰り込んで保留する一方で、保留した紙幣を必要に応じて搬送路２２に一枚ずつ繰り出すためのものである。この一時保留部２７は、たとえば保留した逆順で紙幣を順次取り出すことのできる巻取式のものが好ましいが、積み重ね式のものも使用できる。第一回収部２８および第二回収部２９は、搬送路２２に搬送される紙幣を必要に応じて繰り込んで回収するためのものである。【００５５】
一時集積部３０は、取引口２１から出金する紙幣を集積するためのものである。また、取引口２１と繰り込み部２６および一時集積部３０との間には、取引口２１を介して受け取った紙幣を繰り込み部２６から搬送路２２に繰り込むため、または一時集積部３０に集積した紙幣を取引口２１から出金するための入出機構３１が設けてある。【００５６】
また、一時保留部２７は、一時保留した紙幣を排出する際に、紙幣を返却する際には紙幣を一時集積部３０に、紙幣を収納する際には紙幣を下部ユニット３に、と後述する制御部３２の指示に従って紙幣を振り分ける機能を有する。【００５７】
また、上部ユニット２には、紙幣入出金機１全体の制御を司る制御部３２が設けられている。【００５８】
なお、識別・判定部２５、記番号読み取り部２４およびセンサ部２３で識別された結果出力される紙幣情報は、たとえば１枚毎に次のような情報が含まれる。
（ａ）紙幣ＩＤ番号：一取引で計数した連番
（ｂ）識別結果関係：紙幣を識別した結果得られた紙幣の固有の属性
カテゴリーコード（各センサ毎の識別結果を総合的に判断した識別結果）、国コード、金種コード、方向（表裏）コード、記番号、金種判別レベル（判断基準）、
（ｃ）センサデータ関係：各所に設けられる各センサ毎の識別結果
（ｄ）紙幣詳細データとしての紙幣イメージ情報【００５９】
一方、下部ユニット３の筐体４０の内部には、紙幣を搬送するための搬送路４１が設けてある。搬送路４１は、上部ユニット２における搬送路２２の繰り込み部２６とセンサ部２３との間の部位に接続された１つの端部から、筐体４０の内部で下側に向けて枝分かれした複数の端部を有するように延設した搬送域を画成し、当該搬送域の延設方向に沿って紙幣を搬送するものである。搬送路４１の枝分かれしたそれぞれの端部には、紙幣収納庫（収納部）４２や、紙幣保管庫４３が接続してある。【００６０】
紙幣収納庫４２は、出金用の出金紙幣や入金された入金紙幣を複数収納するためのものである。この紙幣収納庫４２は、同じ金種の紙幣を収納するもので、金種に応じて筐体４０の内部に複数個設けてある。本実施例では、紙幣収納庫４２として、紙幣収納庫４２ａ、４２ｂ、４２ｃの３つを設けている。紙幣保管庫４３は、例えば真偽不明紙幣や汚損紙幣などの出金紙幣として利用しない各種の紙幣を保管するように筐体４０の内部に複数個設けてある。本実施例では、紙幣保管庫４３として、紙幣保管庫４３ａ、４３ｂ、４３ｃの３つを設けている。なお、紙幣収納庫４２および紙幣保管庫４３の数は適宜必要数を設ければ良い。【００６１】
図２は、この紙幣入出金機１における制御系および情報の伝送を説明するブロック図である。上部ユニット２の制御部３２の中に、装置全体を制御するメインＣＰＵ３２１および通信インタフェース３２２が設けられている。このメインＣＰＵ３２１は、比較的高速処理の可能なマイクロコンピュータが用いられる。【００６２】
また、識別・判定部２５には識別・判定部ＣＰＵ２５１が設けられており、機能部の制御およびデータ転送機能を分担している。この識別・判定部ＣＰＵ２５１は１チップマイクロコンピュータであるが、メインＣＰＵ３２１と比較すれば、低速かつ安価なもので十分である。【００６３】
この識別・判定部ＣＰＵ２５１は識別・判定部２５の制御を行うだけでなく、メインＣＰＵ３２１との間で必要なデータの転送を行う。この場合、識別・判定部ＣＰＵ２５１は、通信インタフェース３２２を介してメインＣＰＵ３２１に識別・判定データを送信する。【００６４】
また、センサ部２３はセンサメモリ２３２を備えており、センサ部２３において複数のセンサにより検出した複数種のセンサ情報（識別セキュリティ情報）は、メインＣＰＵ３２１に送信されるとともにセンサメモリ２３２に記憶される。【００６５】
また、識別・判定部ＣＰＵ２５１は、センサ部２３において複数のセンサにより検出した紙幣の複数種の識別セキュリティ情報（紙幣の特定部における特徴量）に対して真偽、正損を識別して、各識別セキュリティ情報（紙幣の特定部における特徴量）に対する識別結果情報を生成する。そして、この識別結果情報は、識別・判定部２５の識別・判定メモリ２５２に記憶される。各識別セキュリティ情報（紙幣の特定部における特徴量）に対して真偽、正損を識別するための基準データは、識別・判定メモリ２５２に記憶されている。【００６６】
また、識別・判定メモリ２５２には、国指定情報と、上記の識別結果情報と、に基づいて各国独自のカテゴリー分類をするための基準データ（国指定情報と、識別結果情報と、カテゴリーとの組み合わせデータ）をカテゴリー分類テーブルとして保持している。このカテゴリー分類テーブルは、真券かつ正券（カテゴリー１）、真券かつ損券（カテゴリー２）、真券とは明確には判断できない真偽不確定券（カテゴリー３）、真券とは明確に異なり偽札と疑われる偽券（カテゴリー４）、紙幣ではないもの又は紙幣として識別できなかった識別異常券（リジェクト券、カテゴリー５）、の５つのカテゴリー毎にそれぞれ設けられている。識別・判定部ＣＰＵ２５１は、このカテゴリー分類テーブルを参照して紙幣のカテゴリー分類を行う。【００６７】
また、記番号読み取り部２４で読み取った情報は、通信インタフェース３２２を介してメインＣＰＵ３２１に送信される。【００６８】
図３−１は、たとえば紙幣を識別異常券に分類する際に参照するカテゴリー分類テーブルの一例を示す図である。図３−１に示すように、カテゴリー分類テーブルには、国指定情報（Ａ国、Ｂ国、Ｃ国、Ｄ国、・・・）と、各国における偽券カテゴリー分類に固有の各識別結果情報の判定基準（factor１、factor２、factor３、factor４、・・・）と、カテゴリー判定情報と、が組み合わせて格納されている。なお、この識別結果情報の判定基準（factor）としては、たとえば形状一致白黒ダミー券、磁気なしモノクロコピー券、トナー磁気ありカラーコピー券、などの要因が挙げられる。【００６９】
図３−２は、たとえば紙幣を偽券に分類する際に参照するカテゴリー分類テーブルの一例を示す図である。図３−２に示すように、カテゴリー分類テーブルには、国指定情報（Ａ国、Ｂ国、Ｃ国、Ｄ国、・・・）と、各国における偽券カテゴリー分類に固有の各識別結果情報の判定基準（susfactor１、susfactor２、susfactor３、susfactor４、・・・）と、カテゴリー判定情報と、が組み合わせて格納されている。なお、この識別結果情報の判定基準（susfactor）としては、たとえば磁気スレッド磁気ビットパターン、背面片側記番号磁気成分（記番号印刷部分および肖像画部分ならびに金額印刷部分に含まれる磁気含有量）、紙幣を透過または反射した赤外線のＩＲ（赤外線）吸収インクに起因した減衰量、などの要因が挙げられる。【００７０】
また、図３−３は、たとえば真券と識別された紙幣を正券と損券とに分類する際に参照するカテゴリー分類テーブルの一例を示す図である。図３−３に示すように、カテゴリー分類テーブルには、国指定情報（Ａ国、Ｂ国、Ｃ国、Ｄ国、・・・）と、各国における偽券カテゴリー分類に固有の各識別結果情報の判定基準（unfitfactor１、unfitfactor２、unfitfactor３、unfitfactor４、・・・）と、カテゴリー判定情報と、が組み合わせて格納されている。なお、この識別結果情報の判定基準（unfitfactor）としては、たとえば落書き面積、欠損量、隅折れ量、テープ検出などの要因が挙げられる。【００７１】
なお、図３−１〜図３−３におけるカテゴリー判定の欄の「１」は「識別異常券（リジェクト券）」を、「２」は「偽券」を、「３」は「真偽不確定券」を、「４ａ」は「真券かつ正券」を、「４ｂ」は「真券かつ損券」をそれぞれ表す。【００７２】
このようなカテゴリー分類テーブルは、管理コンピュータからの制御、電気的に接続された電子端末（汎用コンピュータ等）、自紙幣入出金機１に備えられる図示しない入力部、などを用いて編集することが可能である。【００７３】
このような、カテゴリー分類テーブルを有することにより、国指定情報で国を指定するだけで、カテゴリー判定の基準を即座に変更し、その国独自の基準でカテゴリー判定を容易に行うことができる。そして、国指定情報で国指定を変更するのみで、異なる国の基準でカテゴリー判定を容易に行うことができるため、異なる国の基準でのカテゴリー判定に対して迅速に、容易にかつフレキシブルに対応することができる。【００７４】
また、このカテゴリー分類テーブルにおいては、各識別結果情報の判定基準を自由に追加、変更、削除可能とされている。これにより、カテゴリー判定の基準が変更になった場合においても、カテゴリー分類テーブルを変更するだけで、新たなカテゴリー判定に容易に対応することができる。なお、識別結果情報の判定基準の変更においては、正損に関する判定基準は自由に変更可能とされているが、真偽に関する判定基準の変更は影響が大きいため、慎重を期すことが必要である。【００７５】
また、カテゴリー分類テーブルの情報を追加、変更することで、新たな国のカテゴリー判定の基準を容易に追加可能であり、新たな国専用の識別装置を個別に開発する必要がない。したがって、このカテゴリー判定の基準が変更になった場合や新たな国での使用が発生した場合においても、カテゴリー分類テーブルの情報を追加、変更するだけで対応可能であるため、トータルコストを抑えることができる。【００７６】
図２の説明に戻って、さらに、メインＣＰＵ３２１からは偽券の鑑定のためのデータや処理記録が外部の管理コンピュータに対して送られ、その管理コンピュータから指示やデータを受け取るための通信インタフェース３２３を介して伝送系に接続される。【００７７】
つぎに、この紙幣入出金機１の動作について図４〜図６を参照して説明する。図４は紙幣入出金機１の動作を説明するためのフローチャートである。図５−１〜図５−１４は、紙幣入出金機の動作を説明する図である。なお、以下においては、上述したカテゴリー分類テーブルにおいて参照する国として、予め所定の国が指定されて設定されているものとする。【００７８】
まず、紙幣入出金機１における入金時の紙幣の流れを説明する。入金時、利用者が取引口２１に紙幣を投入することにより、紙幣入出金機１は取引口２１を介して紙幣を受け入れる（ステップＳ１１０）。受け入れた紙幣は、図５−１に示すように入出機構３１および繰り込み部２６によって搬送路２２に繰り込まれる。そして、搬送路２２に繰り込まれた紙幣は、センサ部２３、識別・判定部２５を通過する過程で計数されるとともに識別・判定処理が行われる（ステップＳ１２０）。【００７９】
ここで、識別・判定部２５では、金種、真偽、正損を識別して、真券かつ正券（カテゴリー１）、真券かつ損券（カテゴリー２）、真券とは明確には判断できない真偽不確定券（カテゴリー３）、真券とは明確に異なり偽札と疑われる偽券（カテゴリー４）、紙幣ではないもの又は紙幣として識別できなかった識別異常券（リジェクト券、カテゴリー５）、の５つのカテゴリーに分類する。【００８０】
すなわち、繰り込み部２６において繰り出された紙幣は、搬送路２２に送られ、センサ部２３、識別・判定部２５を通過する。このとき、ラインセンサ、磁気センサ、厚みセンサや、赤外線センサ、ＵＶセンサなどにより、紙幣に関する所定の識別セキュリティ情報（紙幣の特定部における特徴量）が検出、取得される。【００８１】
つぎに、識別・判定部２５が、センサ部２３において取得した各識別セキュリティ情報（特徴量）について、紙幣の真偽、正損を識別し、カテゴリー分類を行う。まず、識別・判定部２５は、各識別セキュリティ情報（特徴量）に対して真偽、正損を識別して、各識別セキュリティ情報（特徴量）に対する識別結果情報を生成する。【００８２】
つぎに、識別・判定部２５は、この識別結果情報と、カテゴリー分類テーブルにおいて予め指定されている所定の国のカテゴリー分類に固有の各識別結果情報の判定基準と、を参照して紙幣が識別異常券であるか否かを判定する（ステップＳ１３０）。【００８３】
ここで、紙幣が「識別異常券」に該当すると判定された場合には（ステップＳ１３０肯定）、識別・判定部２５はこの紙幣を「識別異常券」のカテゴリーに分類する（ステップＳ２１０）。そして「識別異常券」のカテゴリーに分類された紙幣は、図５−２に示すように搬送路２２を経て一時集積部３０に集積される（ステップＳ２２０）。【００８４】
一方、紙幣が「識別異常券」に該当すると判定されなかった場合には（ステップＳ１３０否定）、識別・判定部２５は、つぎに識別結果情報と、カテゴリー分類テーブルにおいて予め指定されている所定の国のカテゴリー分類に固有の各識別結果情報の判定基準と、を参照して紙幣が「明らかな偽券」であるかを判定する（ステップＳ１４０）。【００８５】
ここで、紙幣が「偽券」に該当すると判定された場合には（ステップＳ１４０肯定）、識別・判定部２５はこの紙幣を「偽券」のカテゴリーに分類する（ステップＳ２００）。そして「偽券」のカテゴリーに分類された紙幣は、図５−３に示すように搬送路２２を経て第二回収部２９に回収される（ステップＳ２３０）。第二回収部２９に保留された紙幣については、紙幣を識別した際の識別情報が記憶される。なお、この回収の際、収納される紙幣の記番号を記番号読み取り部２４において読みとって識別情報に追加して紙幣情報として記憶するようにする。【００８６】
一方、紙幣が「偽券」に該当すると判定されなかった場合には（ステップＳ１４０否定）、識別・判定部２５は、つぎに識別結果情報と、カテゴリー分類テーブルにおいて予め指定されている所定の国のカテゴリー分類に固有の各識別結果情報の判定基準と、を参照して紙幣が「真券」であるかを判定する（ステップＳ１５０）。【００８７】
ここで、紙幣が「真券」に該当すると判定されなかった場合には（ステップＳ１５０否定）、識別・判定部２５はこの紙幣を「真偽不確定券」のカテゴリーに分類する（ステップＳ１９０）。そして「真偽不確定券」のカテゴリーに分類された紙幣は、図５−４に示すように搬送路２２を経て一時保留部２７に保留される（ステップＳ２４０）。【００８８】
一方、紙幣が「真券」に該当すると判定された場合には（ステップＳ１５０肯定）、識別・判定部２５は、つぎに識別結果情報と、カテゴリー分類テーブルにおいて予め指定されている所定の国のカテゴリー分類に固有の各識別結果情報の判定基準と、を参照して紙幣が「正券」であるかを判定する（ステップＳ１６０）。【００８９】
ここで、紙幣が「正券」に該当すると判定された場合には（ステップＳ１６０肯定）、識別・判定部２５はこの紙幣を「真券かつ正券」のカテゴリーに分類する（ステップＳ１７０）。そして「真券かつ正券」のカテゴリーに分類された紙幣は、図５−４に示すように搬送路２２を経て一時保留部２７に保留される（ステップＳ２４０）。【００９０】
一方、紙幣が「正券」に該当すると判定されなかった場合には（ステップＳ１６０否定）、識別・判定部２５は、この紙幣を「真券かつ損券」のカテゴリーに分類する（ステップＳ１８０）。そして「真券かつ損券」のカテゴリーに分類された紙幣は、図５−４に示すように搬送路２２を経て一時保留部２７に保留される（ステップＳ２４０）。【００９１】
そして、ステップＳ２２０およびステップＳ２４０の後、繰り込み部２６における紙幣の繰り込みが終了したか否かが制御部３２で判断され（ステップＳ２５０、Ｓ２６０）、これらの分類処理は繰り込み部２６における紙幣の繰り込みが終了していない場合には（ステップＳ２５０否定、Ｓ２６０否定）、ステップＳ１２０に戻って繰り込み部２６における紙幣の繰り込みが終了するまで繰り返される。【００９２】
一方、繰り込み部２６における繰り込みが終了した時点で（ステップＳ２５０肯定、Ｓ２６０肯定）、まず一時集積部３０に集積された識別異常券が入出機構３１を介して取引口２１から利用者に返却される（ステップＳ２７０）。【００９３】
続いて、紙幣入出金機１は、一時保留部２７に一時保留された紙幣を処理するが、この処理の態様としては収納か返却の２種類がある。一時保留部２７に一時保留された紙幣を収納するか返却するかは、制御部３２において判断される（ステップＳ２８０）。制御部３２は、一時保留部２７に保留された紙幣の入金額が利用者によって承認された旨の収納指示情報を受け取った場合には、一時保留部２７に一時保留された紙幣を収納すると判断する（ステップＳ２８０肯定）。そして、一時保留部２７に保留された紙幣は、搬送路２２に一枚ずつ繰り出され、収納処理が行われる（ステップＳ２９０）。【００９４】
搬送路２２に繰り出された紙幣は、先とは逆の方向に搬送されて識別・判定部２５を通過し、金種および真偽ならびに正損が再び識別され、カテゴリーが判定される。そして、識別・判定部２５で金種が識別された紙幣は、下部ユニット３に搬送されて搬送路４１を経て紙幣収納庫４２または紙幣保管庫４３ａあるいは紙幣保管庫４３ｂに収納され、一連の処理が終了する。【００９５】
すなわち、一時保留部２７に保留された紙幣は、図５−５に示すように搬送路２２を経て識別・判定部２５を通過し、金種および真偽ならびに正損が再び識別され、カテゴリーが判定される。そして、識別・判定部２５での識別において「真偽不確定券」のカテゴリーに分類された紙幣は、図５−５に示すように下部ユニット３に搬送され、搬送路４１を経て紙幣保管庫４３ａに収納され、一連の処理が終了する。なお、この収納の際、「真偽不確定券」のカテゴリーに分類されて紙幣保管庫４３ａに収納される紙幣の記番号を記番号読み取り部２４において読みとって識別情報に追加して紙幣情報として記憶するようにする。【００９６】
また、識別・判定部２５での識別において「真券かつ損券」のカテゴリーに分類された紙幣は、図５−６に示すように下部ユニット３に搬送され、搬送路４１を経て紙幣保管庫４３ｂに収納され、一連の処理が終了する。【００９７】
また、識別・判定部２５での識別において「真券かつ正券」のカテゴリーに分類された紙幣は、図５−７に示すように下部ユニット３に搬送されて搬送路４１を経て、金種に応じて紙幣収納庫４２ａ、４２ｂ、４２ｃに収納され、一連の処理が終了する。【００９８】
一方、制御部３２は、一時保留部２７に保留された紙幣の入金額が利用者によって承認されずに受け取った紙幣の返金要求があった場合には、一時保留部２７に保留された紙幣を収納せずに返却すると判断する（ステップＳ２８０否定）。そして、一時保留部２７に保留された紙幣は、搬送路２２に一枚ずつ繰り出され、返却処理が行われる。すなわち、一時保留部２７に保留された紙幣は、図５−８に示すように搬送路２２を経て一時集積部３０に集積される。そして、一時集積部３０に集積された紙幣は、入出機構３１を介して取引口２１から利用者に返金され、一連の処理が終了する（ステップＳ２７０）。【００９９】
次に、紙幣入出金機１における出金時の紙幣の流れを図５−９乃至図５−１４を参照して説明する。利用者によって所望金額の出金要求があった場合には、図５−９に示すように下部ユニット３の紙幣収納庫４２ａ、４２ｂ、４２ｃに収納されている紙幣は、要求金額に応じて一枚ずつ搬送路４１に繰り出される。搬送路４１に繰り出された紙幣は、上部ユニット２側に搬送され、搬送路２２を経て識別・判定部２５を通過して金種が識別される。【０１００】
そして、識別・判定部２５で金種が識別された紙幣は、図５−１０に示すように搬送路２２を経て一時集積部３０に集積される。また、斜行や重ね搬送などにより識別・判定部２５で金種が識別不能な紙幣は、図５−１１に示すように搬送路２２を経て一時保留部２７に保留される。一時集積部３０には、要求金額に至るまで紙幣が集積される。そして、一時集積部３０に集積された要求金額分の紙幣は、入出機構３１を介して取引口２１から利用者に出金される。【０１０１】
利用者への要求金額の紙幣の出金が完了すると、一時保留部２７に保留された紙幣は、搬送路２２に一枚ずつ繰り出されて先とは逆の方向に搬送されて識別・判定部２５を通過し、金種が再び識別される。そして、識別・判定部２５で金種が識別された紙幣は、図５−１２に示すように下部ユニット３に搬送され、搬送路４１を経て金種に応じて紙幣収納庫４２ａ、４２ｂ、４２ｃに収納される。また、識別・判定部２５で金種が識別不能な紙幣は、図５−１３に示すように下部ユニット３に搬送されて搬送路４１を経て紙幣保管庫４３ａに収納される。【０１０２】
なお、上記出金時において出金紙幣を利用者が取引口２１から取り忘れた場合、あるいは上記入金時において返金紙幣を利用者が取引口２１から取り忘れた場合には、当該紙幣は、図５−１４に示すように入出機構３１および繰り込み部２６を介して搬送路２２に繰り込まれ、識別・判定部２５で金種や真偽などが再び識別されて第一回収部２８に回収される。【０１０３】
また、以上のような処理が行われた取引については、各種の情報が管理コンピュータに送られ、取引情報としてまとめられる。【０１０４】
図６は、取引情報の一例を示した図であり、１取引情報は装置番号、処理番号（入金、返却、入金返却等の処理の種類と処理の連番を組み合わせた番号）、年月日日時分秒からなる処理開始日時および処理終了日時、口座番号および指紋情報等から成る顧客情報、金種毎の枚数、金額、合計枚数、合計金額等からなる計数情報、処理枚数分の紙幣情報などからなる。この紙幣情報には前述した識別情報も含まれる。【０１０５】
なお、ここでは、収納および返却処理ともに取引情報を作成するようにしているが、偽券と真偽不確定券のみの情報としても良い。そして、上述した入金および出金の一連の処理は、制御部３２により行われる。【０１０６】
上述したように、本実施例にかかる紙幣入出金機１は、カテゴリー分類テーブルを有することにより、国指定情報で国を指定するだけで、カテゴリー判定の基準を迅速に変更し、国毎の独自の基準でカテゴリー判定に容易に対応することができる。また、同じ国の基準も複数種類用意することで、さらにフレキシブルなカテゴリー判定に容易に対応することができる。そして、本実施例にかかる紙幣入出金機１では、カテゴリー分類テーブルの情報の追加、変更等をユーザ側で可能であり、必要時に、迅速にフレキシブルなカテゴリー判定に容易に対応することができる。したがって、本実施例にかかる紙幣入出金機１によれば、異なる使用地域や使用対象物に迅速に、柔軟に対応して紙幣の識別を行うことができる。したがって、本実施例にかかる紙幣入出金機１によれば、異なる使用地域や使用対象物に迅速に、柔軟に対応して紙幣の識別を行うことができる。【０１０７】
また、カテゴリー分類テーブルの情報を追加、変更することで、新たな国のカテゴリー判定の基準を容易に追加可能であり、新たな国専用の識別装置を個別に開発する必要がない。したがって、このカテゴリー判定の基準が変更になった場合や新たなカテゴリー判定基準を有する国での使用等が発生した場合においても、カテゴリー分類テーブルの情報を追加、変更するだけで対応可能であるため、安価に紙幣の識別を行うことができる。
【実施例２】
【０１０８】
図７−１および図７−２は実施例２にかかる紙幣識別整理機４００を示す図であり、図７−１は紙幣識別整理機４００の概略構成を示す断面図、図７−２は紙幣識別整理機４００の斜視図である。本実施例にかかる紙幣識別整理機４００は、本発明にかかる紙葉類識別装置としての機能を備えた紙幣識別整理機であり、主として銀行や郵便局等の金融機関に設置されて使用される。【０１０９】
このような本実施例にかかる紙幣識別整理機４００は、図７−１および図７−２に示すように、紙幣受け入れ部４１０、搬送路４１１、識別部４１２、集積部４１３（集積部４１３ａ、集積部４１３ｂ、集積部４１３ｃ）、返却部４１４等を備えて構成されている。紙幣受け入れ部４１０は、実施例１で説明した紙幣入出金機１における取引口２１と同様に紙幣の受け入れを行うためのものである。【０１１０】
また、紙幣受け入れ部４１０で受け入れられた紙幣は、搬送路４１１に繰り出されて搬送され、識別部４１２を通過する。識別部４１２は、実施例１で説明した識別・判定部２５と同様の機能を有する。ただし、本実施例においては、識別部４１２の搬送路４１１上の一部にセンサ部４１５が構成してある。また、センサ部４１５は、実施例１で説明したセンサ部２３と同様の機能を有する。【０１１１】
すなわち、センサ部４１５は、紙幣の形状、画像、また偽造防止のために紙幣に施された磁気または磁気スレッド等の様々なセキュリティ情報（紙幣の特定部における特徴量）として、紙幣の形状を示す特徴量、紙幣に含まれる磁気含有量を示す特徴量、紙幣を透過または反射する光の光量や波長を示す特徴量を検出する。【０１１２】
また、識別・判定部４１２は、センサ部４１５において複数のセンサにより検出した紙幣の複数種の識別セキュリティ情報（紙幣の特定部における特徴量）と、該識別・判定部４１２に保持するカテゴリー分類テーブルに基づいて紙幣の真偽や正損を識別し、カテゴリー分類を判定する。そして、識別・判定部４１２は、金種、真偽、正損を識別して、真券かつ正券（カテゴリー１）、真券かつ損券（カテゴリー２）、真券とは明確には判断できない真偽不確定券（カテゴリー３）、真券とは明確に異なり偽札と疑われる偽券（カテゴリー４）、紙幣ではないもの又は紙幣として識別できなかった識別異常券（リジェクト券、カテゴリー５）、の５つのカテゴリーに分類する。【０１１３】
識別部４１２において金種、真偽、正損等の識別処理およびカテゴリー分類の判定が行われた紙幣は、そのカテゴリー判定結果に基づいて、搬送路４１１を経て集積部４１３に搬送され、収納される。また、識別部４１２での識別処理の結果、集積部４１３に収納せずに返却する紙幣は、搬送路４１１を経て返却部４１４へ搬送される。
【実施例３】
【０１１４】
図８−１および図８−２は実施例３にかかる紙幣識別計数機５００を示す図であり、図８−１は紙幣識別計数機５００の概略構成を示す断面図、図８−２は紙幣識別計数機５００の斜視図である。本実施例にかかる紙幣識別計数機５００は、本発明にかかる紙葉類識別装置としての機能を備えた紙幣識別計数機であり、主として銀行や郵便局等の金融機関に設置されて使用される。【０１１５】
このような本実施例にかかる紙幣識別計数機５００は、図８−１および図８−２に示すように、紙幣受け入れ部５１０、搬送路５１１、識別部５１２、集積部５１３、返却部５１４等を備えて構成されている。紙幣受け入れ部５１０は、実施例１で説明した紙幣入出金機１における取引口２１と同様に紙幣の受け入れを行うためのものである。【０１１６】
また、紙幣受け入れ部５１０で受け入れられた紙幣は、搬送路５１１に繰り出されて搬送され、識別部５１２を通過する。識別部５１２は、実施例１で説明した識別・判定部２５と同様の機能を有する。ただし、本実施例においては、識別部５１２の搬送路５１１上の一部にセンサ部５１５が構成してある。また、センサ部５１５は、実施例１で説明したセンサ部２３と同様の機能を有する。【０１１７】
すなわち、センサ部５１５は、紙幣の形状、画像、また偽造防止のために紙幣に施された磁気または磁気スレッド等の様々なセキュリティ情報（紙幣の特定部における特徴量）として、紙幣の形状を示す特徴量、紙幣に含まれる磁気含有量を示す特徴量、紙幣を透過または反射する光の光量や波長を示す特徴量を検出する。【０１１８】
また、識別部５１２は、センサ部５１５において複数のセンサにより検出した紙幣の複数種の識別セキュリティ情報（紙幣の特定部における特徴量）と、該識別部５１２に保持するカテゴリー分類テーブルに基づいて紙幣の真偽や正損を識別し、カテゴリー分類を判定する。そして、識別部５１２は、金種、真偽、正損を識別して、真券かつ正券（カテゴリー１）、真券かつ損券（カテゴリー２）、真券とは明確には判断できない真偽不確定券（カテゴリー３）、真券とは明確に異なり偽札と疑われる偽券（カテゴリー４）、紙幣ではないもの又は紙幣として識別できなかった識別異常券（リジェクト券、カテゴリー５）、の５つのカテゴリーに分類する。【０１１９】
識別部５１２において金種、真偽、正損等の識別処理およびカテゴリー分類の判定が行われた紙幣は、そのカテゴリー判定結果に基づいて、搬送路５１１を経て集積部５１３に搬送され、収納される。また、識別部５１２での識別処理の結果、集積部５１３に収納せずに返却する紙幣は、搬送路５１１を経て返却部５１４へ搬送される。
【実施例４】
【０１２０】
図９−１および図９−２は実施例４にかかる循環式紙幣入出金機６００を示す図であり、図９−１は循環式紙幣入出金機６００の概略構成を示す断面図、図９−２は循環式紙幣入出金機６００の斜視図である。本実施例にかかる循環式紙幣入出金機６００は、本発明にかかる紙葉類識別装置としての機能を備えた紙幣識別整理機であり、主として銀行や郵便局等の金融機関に設置されて使用される。【０１２１】
このような本実施例にかかる循環式紙幣入出金機６００は、図９−１および図９−２に示すように、入金口６１０、搬送路６１１、識別部６１２、金種別収納放出部６１３（金種別収納放出部６１３ａ、６１３ｂ、６１３ｃ、６１３ｄ、６１３ｅ、６１３ｆ）、出金口６１４、一時保留部６１６、リジェクトボックス６１７等を備えて構成されている。入金口６１０は、実施例１で説明した紙幣入出金機１における取引口２１と同様に紙幣の受け入れを行うためのものである。【０１２２】
また、入金口６１０で受け入れられた紙幣は、搬送路６１１に繰り出されて搬送され、識別部６１２を通過する。識別部６１２は、実施例１で説明した識別・判定部２５と同様の機能を有する。ただし、本実施例においては、識別部６１２の搬送路６１１上の一部にセンサ部６１５が構成してある。また、センサ部６１５は、実施例１で説明したセンサ部２３と同様の機能を有する。【０１２３】
すなわち、センサ部６１５は、紙幣の形状、画像、また偽造防止のために紙幣に施された磁気または磁気スレッド等の様々なセキュリティ情報（紙幣の特定部における特徴量）として、紙幣の形状を示す特徴量、紙幣に含まれる磁気含有量を示す特徴量、紙幣を透過または反射する光の光量や波長を示す特徴量を検出する。【０１２４】
また、識別部６１２は、センサ部６１５において複数のセンサにより検出した紙幣の複数種の識別セキュリティ情報（紙幣の特定部における特徴量）と、該識別部６１２に保持するカテゴリー分類テーブルに基づいて紙幣の真偽や正損を識別し、カテゴリー分類を判定する。そして、識別部６１２は、金種、真偽、正損を識別して、真券かつ正券（カテゴリー１）、真券かつ損券（カテゴリー２）、真券とは明確には判断できない真偽不確定券（カテゴリー３）、真券とは明確に異なり偽札と疑われる偽券（カテゴリー４）、紙幣ではないもの又は紙幣として識別できなかった識別異常券（リジェクト券、カテゴリー５）、の５つのカテゴリーに分類する。【０１２５】
識別部６１２において金種、真偽、正損等の識別処理およびカテゴリー分類の判定が行われた紙幣は、そのカテゴリー判定結果に基づいて搬送路６１１により出金口６１４または一時保留部６１６に搬送される。このとき、「識別異常券」のカテゴリーに分類された紙幣は、搬送路６１１を経て出金口６１４に搬送され、利用者に返却される。また、「偽券」のカテゴリーと判定された紙幣は、搬送路６１１によりリジェクトボックス６１７に搬送され、回収される。【０１２６】
また、「真偽不確定券」のカテゴリーに分類された紙幣、「真券かつ正券」のカテゴリーに分類された紙幣、および「真券かつ損券」のカテゴリーに分類された紙幣は、搬送路６１１を経て一時保留部６１６に搬送されて保留される。そして、一時保留部６１６に保留された紙幣は、搬送路６１１を経て識別部６１２を通過し、金種および真偽ならびに正損が再び識別され、カテゴリーの分類が判定される。そして、識別部６１２において「真偽不確定券」のカテゴリーに分類された紙幣は、一時保留部６１６から搬送路６１１に繰り出され、リジェクトボックス６１７に搬送され、回収される。【０１２７】
また、「真券かつ正券」のカテゴリーに分類された紙幣、および「真券かつ損券」のカテゴリーと判定された紙幣は、一時保留部６１６から搬送路６１１に繰り出され、金種別収納放出部６１３に搬送され、正券・損券別および金種別に金種別収納放出部６１３ａ、６１３ｂ、６１３ｃ、６１３ｄ、６１３ｅ、６１３ｆのいずれかに回収される。【０１２８】
また、出金時は、金種別収納放出部６１３に収納されている紙幣は、要求金額に応じて一枚ずつ搬送路６１１に繰り出される。搬送路６１１に繰り出された紙幣は、識別部６１２を通過して金種が識別され、搬送路６１１を経て出金口６１４に搬送され、利用者に出金される。
【産業上の利用可能性】
【０１２９】
以上のように、本発明にかかる紙葉類識別装置は、金融機関等で紙幣の入金処理などに有用である。
【図１】
2008056404.tif 000003
【図２】
2008056404.tif 000004
【図３−１】
2008056404.tif 000005
【図３−２】
2008056404.tif 000006
【図３−３】
2008056404.tif 000007
【図４】
2008056404.tif 000008
【図５−１】
2008056404.tif 000009
【図５−２】
2008056404.tif 000010
【図５−３】
2008056404.tif 000011
【図５−４】
2008056404.tif 000012
【図５−５】
2008056404.tif 000013
【図５−６】
2008056404.tif 000014
【図５−７】
2008056404.tif 000015
【図５−８】
2008056404.tif 000016
【図５−９】
2008056404.tif 000017
【図５−１０】
2008056404.tif 000018
【図５−１１】
2008056404.tif 000019
【図５−１２】
2008056404.tif 000020
【図５−１３】
2008056404.tif 000021
【図５−１４】
2008056404.tif 000022
【図６】
2008056404.tif 000023
【図７−１】
2008056404.tif 000024
【図７−２】
2008056404.tif 000025
【図８−１】
2008056404.tif 000026
【図８−２】
2008056404.tif 000027
【図９−１】
2008056404.tif 000028
【図９−２】
2008056404.tif 000029
【国際調査報告】
2008056404.tif 000030
2008056404.tif 000031
2008056404.tif 000032